(57)【要約】【課題】外装容器に収納するフレキシブルバッグにピンホールの発生がなく、また姿勢の不揃いがなく、一定位置に収納することが可能で、且つ、コンパクトな収納装置を提供する。【解決手段】フレキシブルバッグ１を段ボール箱２などの外装容器の開放された上面から収納する収納装置１００であって、フレキシブルバッグを、落とし込むシューター３に、フレキシブルバッグの幅より、上部が広く、下部が狭くなるように、逆ハの字型に一対のコンベア４ａ、４ｂを、フレキシブルバッグを左右から挟みこめるように設け、左右一対のコンベアのそれぞれの送り速度を調整可能とした。【選択図】図１
2015214357.tif 000002
【特許請求の範囲】
【請求項１】
フレキシブルバッグを剛性または半剛性の外装容器の開放された上面から収納する収納装置であって、
前記フレキシブルバッグを落とし込むシューターに、前記フレキシブルバッグの幅より上部が広く下部が狭くなるように、逆ハの字型に一対のコンベアを、前記フレキシブルバッグを左右から挟みこめるように設け、左右一対の前記コンベアのそれぞれの送り速度を調整可能としたことを特徴とする収納装置。
【発明の詳細な説明】
【技術分野】
【０００１】
本発明は、収納装置に関するものである。特に、フレキシブルバッグを剛性または半剛性の外装容器に開放された上部から収納する収納装置に関するものである。
【背景技術】
【０００２】
業務用の液体食品や飲料や酒類が充填されたフレキシブルバッグが、外装容器の段ボール箱に収納された包装があり、バックインボックスと呼ばれている。また、最近では、業務用だけでなく、２〜３リットルの小容量のバックインボックスも家庭消費用に使われるようになってきた。
【０００３】
また、外装容器が、半剛性の段ボール箱でなく、剛性のドラム缶や被せ蓋つきの一斗缶などにフレキシブルバッグが、収納されている包装もある。そして、このような包装のために剛性や半剛性の外装容器にフレキシブルバッグを収納させる装置がある。
【０００４】
例えば、フレキシブルバッグの箱詰め装置２００として、内容物が充填されたフレキシブルバッグを移動降下する傾斜ローラーコンベヤと、図３のように、シユーター２３の下方に位置して上下方向に昇降するテーブル２４と、テーブル２４を上下方向に昇降するリフター２５を有して、テーブル上に位置した箱体２２を、シユーター２３の下端が箱体２２内に入るように移動し、フレキシブルバッグを、シューター２３を介して箱体２２へ詰めるようにした装置がある（特許文献１）。
【０００５】
このような装置では、液体内容物が充填されたフレキシブルバッグが搬送されるときに、中の液体内容物が揺動し、シューターに落とすときにフレキシブルバッグの姿勢が変化して、傾いて収納されることがある。また、このときに、箱の端にフレキシブルバッグを引掛けて、ピンホールを発生してしまうことがあった。
【０００６】
このようなピンホールの発生を防止し、また姿勢の不揃いがなく一定位置に収納することが可能なフレキシブルバッグの段ボール収納装置が開発されている。
【０００７】
この収納装置は、搬送されてきたフレキシブルバッグを上下のコンベアで挟み込んで保持し、この上下のコンベアをフレキシブルバッグ収納位置まで移動して傾斜させ、段ボール箱をフレキシブルバッグ収納位置まで搬送させて傾斜させ、フレキシブルバッグを保持した上下のコンベアを、傾斜した段ボール箱に挿入して、フレキシブルバッグを段ボール箱に収納するようにした収納装置である（特許文献２）。
【０００８】
この収納装置は、ピンホールの発生がなく、また姿勢の不揃いがなく一定位置に収納することが可能で、信頼性が高くはあるが、動作部が多く、装置が大掛かりになり、設置スペースも広くなり、設備費用も高いものとなってしまっている。また、口栓が流れ方向に対する左右中間部に取り付けられていると、口栓がバッグに押し付けられ、バッグに傷が付くことがあり、この傷からピンホールになってしまうこともある。
【０００９】
公知文献を以下に示す。
【先行技術文献】
【特許文献】
【００１０】
【特許文献１】実開昭６３−６８４２５号公報
【特許文献２】特開２０１２−８６８８２号公報
【発明の概要】
【発明が解決しようとする課題】
【００１１】
本発明は上記のような事情に鑑みてなされたもので、フレキシブルバッグにピンホールの発生がなく、また姿勢の不揃いがなく、一定位置に収納することが可能で、コンパクトな収納装置を提供することを課題としている。
【課題を解決するための手段】
【００１２】
本発明は係る課題に鑑みなされたものであり、請求項１の発明は、フレキシブルバッグを剛性または半剛性の外装容器の開放された上面から収納する収納装置であって、
前記フレキシブルバッグを落とし込むシューターに、前記フレキシブルバッグの幅より上部が広く下部が狭くなるように、逆ハの字型に一対のコンベアを、前記フレキシブルバッグを左右から挟みこめるように設け、左右一対の前記コンベアのそれぞれの送り速度を調整可能としたことを特徴とする収納装置である。
【発明の効果】
【００１３】
本発明の収納装置は、フレキシブルバッグにピンホールを発生することがなく、また、フレキシブルバッグの姿勢の不揃いがなく一定位置に収納することが可能で、且つ、コンパクトであるので、広い設置スペースを必要とせず、設備コストも低減できる。
【図面の簡単な説明】
【００１４】
【図１】（Ａ）（Ｂ）本発明の収納装置の一例でフレキシブルバッグを外装容器に収納する方法を説明する概略図である。
【図２】本発明の収納装置の一例で収納するフレキシブルバッグを模式的に側面で示した説明図である。
【図３】従来の収納装置の一例を模式的に側面で示した説明図である。
【発明を実施するための形態】
【００１５】
以下、本発明を実施するための形態につき説明する。
図１は、（Ａ）（Ｂ）本発明の収納装置の一例でフレキシブルバッグを外装容器に収納する方法を説明する概略図である。図２は、本発明の収納装置の一例で収納するフレキシブルバッグを模式的に側面で示した説明図である。
【００１６】
本例の収納装置１００は、図１（Ａ）に示すように、フレキシブルバッグ１を半剛性の外装容器の段ボール箱２の開放された上面から収納する収納装置である。フレキシブルバッグ１は、図２のように、表裏２組の柔軟なフィルム１１、１２から形成され、重ね合わされたフィルムの周縁部がシールされ、周縁シール部１３が形成され、口栓１４が一方のフィルムに取り付けられた包装袋である。
【００１７】
このフレキシブルバッグ１は、図示しないが、前工程で液体内容物が充填され搬送されて来る。収納装置１００には、フレキシブルバッグ１を段ボール箱２に落とし込むためのシューター３が設けられている。シューター３には、フレキシブルバッグ１が滑って落ちる傾斜面が設けられている。
【００１８】
また、シューター３の傾斜面の下部には、液体内容物が充填されたフレキシブルバッグ１の幅より、上部が広く、下部が狭くなるように、逆ハの字型に一対のコンベア４ａ、４ｂが、フレキシブルバッグを左右から挟みこむように設けられている。
【００１９】
コンベア４ａ、４ｂは、ベルト式やローラー式のコンベアを使用することができるが、ローラー式では、ローラーとローラーの間にフレキシブルバッグ１の角が入り込む恐れが
あるので、ベルト式コンベアを用いることが好ましい。
【００２０】
フレキシブルバッグ１は、図１（Ａ）のように、搬送中に左右がずれて、傾いてシューター３に落とされることがある。本例の収納装置１００は、左右一対のコンベア４ａ、４ｂのそれぞれの速度が調整可能になっていて、この速度の調整により、左右がずれて、傾いたフレキシブルバッグ１ａ、または、フレキシブルバッグ１ｂがシューター３に落とされても、左右一対のコンベア４ａ、４ｂのそれぞれの速度を調整することによって、姿勢を制御することができるようになっている。
【００２１】
左右一対のコンベア４ａ、４ｂのそれぞれの速度の調整は、シューター３に落とされたフレキシブルバッグ１の姿勢を、シューター３の上部でとらえた画像データにより、コンピュータ処理し、コンベア４ａ、４ｂのそれぞれの速度を調整する。
【００２２】
本例の収納装置１００でフレキシブルバッグ１を半剛性の外装容器の段ボール箱２に収納するには、搬送されてきたフレキシブルバッグ１が、シューター３の傾斜面に落とされると、傾斜面の上端部分で、フレキシブルバッグ１の姿勢を画像データで捕らえ、その傾きから、一対のコンベア４ａ、４ｂの速度をそれぞれ調整して、フレキシブルバッグ１の姿勢を制御して、段ボール箱２に落とし込む。
【００２３】
これにより、フレキシブルバッグ１は、姿勢の不揃いがなく一定位置に収納することができる。また、そのため、フレキシブルバッグ１にピンホールが発生することがない。
【００２４】
本例の収納装置１００では、外装容器に半剛性の段ボール箱を用いたが、剛性の一斗缶や、ドラム缶などに、フレキシブルバッグを収納させる時にも同様に用いることができる。
【００２５】
本例の収納装置１００で、シューター３の下端に段ボール箱２の開放された上面を位置させる方法としては、図３に示された、特許文献１のように、リフターにより昇降するテーブルで段ボール箱２を、段ボール箱２を搬送してきた外装容器の搬送ロールコンベアから持ち上げて、シューター３の下端に位置させることができる。
【００２６】
このように、特許文献１に記載された収納装置を改良して、設置スペースを広げることなく、フレキシブルバッグ１のピンホールの発生を防止し、また姿勢を揃えて、一定位置に収納することができるようにすることができる。
【００２７】
また、フレキシブルバッグ１の口栓１４が左右にずれた位置にあっても、口栓がシューターや、コンベアに触れることがないので、特許文献２に記載された収納装置のように、口栓１４を取り付けた位置によって、口栓１４がフレキシブルバッグ１に押し付けられ、フレキシブルバッグ１に傷が付くことがない。また、複雑な動作部を設けることがなく、装置が単純であり、コスト的にも有利であり、設置スペースが小さくて済む。
【符号の説明】
【００２８】
１００・・・収納装置
１・・・フレキシブルバッグ
１１、１２・・・フィルム
１３・・・周縁シール部
１４・・・口栓
２・・・段ボール箱
３・・・シューター
４ａ、４ｂ・・・コンベア
１ａ、１ｂ・・・フレキシブルバッグ
２００・・・箱詰め装置
２２・・・箱体
２３・・・シユーター
２４・・・テーブル
２５・・・リフター
【図１】
2015214357.tif 000003
【図２】
2015214357.tif 000004
【図３】
2015214357.tif 000005